(57)【要約】【課題】  各画像形成部および各定着部の使用比率の偏りを軽減する。【解決手段】  画像形成装置は、片面モード（記録材の片面にのみ画像形成を行うモード）の場合に、その記録用紙Ｐの排紙時の印刷指定面が上か下かにより、あるいは外部からの選択指示により、各画像形成部３１，３２および各定着ローラ（定着部）２１，２２の中から使用する画像形成部および定着ローラを選択する。また、画像形成処理を行う毎に各画像形成部３１，３２および各定着ローラ２１，２２の使用比率を算出して記憶すると共に、片面モードの場合に、上記記憶内容に基づいて、各画像形成部３１，３２および各定着ローラ２１，２２の使用比率が偏らないように、各画像形成部３１，３２および各定着ローラ２１，２２の中から使用する画像形成部および定着ローラを選択してもよい。【選択図】        図２
2009115975.tif 000002
【特許請求の範囲】
【請求項１】
それぞれ記録材にトナー画像を形成する複数の画像形成手段と、該複数の画像形成手段によって前記記録材の表裏両面に形成された２つのトナー画像をそれぞれ加熱して定着させる複数の定着手段とを有し、前記記録材が搬送パスを１回のみ通過することにより、該記記録材の表裏両面へのトナー画像の形成および該各トナー画像の加熱・定着を完了するようにした構成した画像形成装置において、
前記記録材の片面にのみ画像形成を行うモードの場合に、該記録材の排紙時の画像形成指定面が上か下かによって、前記複数の画像形成手段および前記複数の定着手段の中から使用する画像形成手段および定着手段を選択する選択処理手段を設けたことを特徴とする画像形成装置。
【請求項２】
それぞれ記録材にトナー画像を形成する複数の画像形成手段と、該複数の画像形成手段によって前記記録材の表裏両面に形成された２つのトナー画像をそれぞれ加熱して定着させる複数の定着手段とを有し、前記記録材が搬送パスを１回のみ通過することにより、該記記録材の表裏両面へのトナー画像の形成および該各トナー画像の加熱・定着を完了するようにした構成した画像形成装置において、
前記複数の画像形成手段および前記複数の定着手段の使用比率を算出する算出手段と、
該算出手段によって算出された前記複数の画像形成手段および前記複数の定着手段の使用比率を記憶する記憶手段と、
前記記録材の片面にのみ画像形成を行うモードの場合に、前記記憶手段の記憶内容に基づいて、前記複数の画像形成手段および前記複数の定着手段の使用比率が偏らないように、該複数の画像形成手段および該複数の定着手段の中から使用する画像形成手段および定着手段を選択する選択処理手段とを設けたことを特徴とする画像形成装置。
【請求項３】
それぞれ記録材にトナー画像を形成する複数の画像形成手段と、該複数の画像形成手段によって前記記録材の表裏両面に形成された２つのトナー画像をそれぞれ加熱して定着させる複数の定着手段とを有し、前記記録材が搬送パスを１回のみ通過することにより、該記記録材の表裏両面へのトナー画像の形成および該各トナー画像の加熱・定着を完了するようにした構成した画像形成装置において、
前記記録材の片面にのみ画像形成を行うモードの場合に、外部からの指示により、前記複数の画像形成手段および前記複数の定着手段の中から使用する画像形成手段および定着手段を選択する選択処理手段を設けたことを特徴とする画像形成装置。
【請求項４】
それぞれ記録材にトナー画像を形成する複数の画像形成手段と、該複数の画像形成手段によって前記記録材の表裏両面に形成された２つのトナー画像をそれぞれ加熱して定着させる複数の定着手段とを有し、前記記録材が搬送パスを１回のみ通過することにより、該記記録材の表裏両面へのトナー画像の形成および該各トナー画像の加熱・定着を完了するようにした構成した画像形成装置において、
前記記録材に形成されるトナー画像の画像色がカラーであるか白黒であるかを判断する画像色判断手段と、
前記複数の画像形成手段および前記複数の定着手段の前記画像色判断手段によって判断された画像色での使用比率を算出する算出手段と、
該算出手段による算出結果に基づいて前記複数の画像形成手段および前記複数の定着手段の画像色別の使用比率を記憶する記憶手段と、
前記記録材の片面にのみ画像形成を行うモードの場合に、前記記憶手段の記憶内容に基づいて、前記複数の画像形成手段および前記複数の定着手段の前記画像色判断手段によって判断された画像色での使用比率が偏らないように、該複数の画像形成手段および該複数の定着手段の中から使用する画像形成手段および定着手段を選択する選択処理手段とを設けたことを特徴とする画像形成装置。
【請求項５】
請求項４の画像形成装置において、
前記画像色判断手段によって判断された画像色に応じて、前記記録材が前記選択処理手段によって選択された定着手段を通る時間を調整する時間調整手段を設けたことを特徴とする画像形成装置。
【請求項６】
請求項１乃至５のいずれか一項に記載の画像形成装置において、
前記選択処理手段は、前記複数の画像形成手段の少なくとも一つ、もしくは前記複数の定着手段の少なくとも一つが使用不可の場合に、他の画像形成手段もしくは定着手段の中から使用する画像形成手段もしくは定着手段を選択する手段を有することを特徴とする画像形成装置。
【請求項７】
請求項１乃至６のいずれか一項に記載の画像形成装置において、
前記記録材の片面にのみ画像形成を行うモードの場合に、前記選択処理手段によって選択された定着手段以外の定着手段の加熱温度を下げる温度制御手段を設けたことを特徴とする画像形成装置。
【請求項８】
請求項１乃至７のいずれか一項に記載の画像形成装置において、
前記複数の定着手段のうち、少なくとも２つの定着手段は、前記記録材の片面のトナー画像を加熱して定着させた直後に他方の面のトナー画像を加熱して定着させることができるように配置されていることを特徴とする画像形成装置。
【請求項９】
請求項１乃至８のいずれか一項に記載の画像形成装置において、
前記複数の定着手段はそれぞれ、前記記録材のトナー画像の加熱・定着を、ヒータによって定着温度に加熱されたローラを用いて行うことを特徴とする画像形成装置。
【請求項１０】
請求項１乃至８のいずれか一項に記載の画像形成装置において、
前記複数の定着手段はそれぞれ、前記記録材のトナー画像の加熱・定着を、ヒータによって定着温度に加熱されたベルトを用いて行うことを特徴とする画像形成装置。
【請求項１１】
それぞれ記録材にトナー画像を形成する複数の画像形成手段と、該複数の画像形成手段によって前記記録材の表裏両面に形成された２つのトナー画像をそれぞれ加熱して定着させる複数の定着手段とを有し、前記記録材が搬送パスを１回のみ通過することにより、該記記録材の表裏両面へのトナー画像の形成および該各トナー画像の加熱・定着を完了するようにした構成した画像形成装置を制御するコンピュータに、
前記記録材の片面にのみ画像形成を行うモードの場合に、該記録材の排紙時の画像形成指定面が上か下かによって、前記複数の画像形成手段および前記複数の定着手段の中から使用する画像形成手段および定着手段を選択する選択処理手段としての機能を実現させるためのプログラム。
【請求項１２】
それぞれ記録材にトナー画像を形成する複数の画像形成手段と、該複数の画像形成手段によって前記記録材の表裏両面に形成された２つのトナー画像をそれぞれ加熱して定着させる複数の定着手段とを有し、前記記録材が搬送パスを１回のみ通過することにより、該記記録材の表裏両面へのトナー画像の形成および該各トナー画像の加熱・定着を完了するようにした構成した画像形成装置を制御するコンピュータに、
前記複数の画像形成手段および前記複数の定着手段の使用比率を算出する算出手段と、
該算出手段によって算出された前記複数の画像形成手段および前記複数の定着手段の使用比率を記憶する記憶手段と、
前記記録材の片面にのみ画像形成を行うモードの場合に、前記記憶手段の記憶内容に基づいて、前記複数の画像形成手段および前記複数の定着手段の使用比率が偏らないように、該複数の画像形成手段および該複数の定着手段の中から使用する画像形成手段および定着手段を選択する選択処理手段としての機能を実現させるためのプログラム。
【請求項１３】
それぞれ記録材にトナー画像を形成する複数の画像形成手段と、該複数の画像形成手段によって前記記録材の表裏両面に形成された２つのトナー画像をそれぞれ加熱して定着させる複数の定着手段とを有し、前記記録材が搬送パスを１回のみ通過することにより、該記記録材の表裏両面へのトナー画像の形成および該各トナー画像の加熱・定着を完了するようにした構成した画像形成装置を制御するコンピュータに、
前記記録材の片面にのみ画像形成を行うモードの場合に、外部からの指示により、前記複数の画像形成手段および前記複数の定着手段の中から使用する画像形成手段および定着手段を選択する選択処理手段としての機能を実現させるためのプログラム。
【請求項１４】
それぞれ記録材にトナー画像を形成する複数の画像形成手段と、該複数の画像形成手段によって前記記録材の表裏両面に形成された２つのトナー画像をそれぞれ加熱して定着させる複数の定着手段とを有する画像形成装置を制御するコンピュータに、
前記記録材に形成されるトナー画像の画像色がカラーであるか白黒であるかを判断する画像色判断手段と、
前記複数の画像形成手段および前記複数の定着手段の前記画像色判断手段によって判断された画像色での使用比率を算出する算出手段と、
該算出手段による算出結果に基づいて前記複数の画像形成手段および前記複数の定着手段の画像色別の使用比率を記憶する記憶手段と、
前記記録材の片面にのみ画像形成を行うモードの場合に、前記記憶手段の記憶内容に基づいて、前記複数の画像形成手段および前記複数の定着手段の前記画像色判断手段によって判断された画像色での使用比率が偏らないように、該複数の画像形成手段および該複数の定着手段の中から使用する画像形成手段および定着手段を選択する選択処理手段としての機能を実現させるためのプログラム。
【請求項１５】
請求項１４のプログラムにおいて、
前記コンピュータに、
前記画像色判断手段によって判断された画像色に応じて、前記記録材が前記選択処理手段によって選択された定着手段を通る時間を調整する時間調整手段としての機能をも実現させるためのプログラム。
【請求項１６】
請求項１１乃至１５のいずれか一項に記載のプログラムにおいて、
前記選択処理手段は、前記複数の画像形成手段の少なくとも一つ、もしくは前記複数の定着手段の少なくとも一つが使用不可の場合に、他の画像形成手段もしくは定着手段の中から使用する画像形成手段もしくは定着手段を選択する手段を有することを特徴とするプログラム。
【請求項１７】
請求項１１乃至１６のいずれか一項に記載のプログラムにおいて、
前記コンピュータに、
前記記録材の片面にのみ画像形成を行うモードの場合に、前記選択処理手段によって選択された定着手段以外の定着手段の加熱温度を下げる温度制御手段としての機能をも実現させるためのプログラム。
【請求項１８】
請求項１１乃至１７のいずれか一項に記載のプログラムを記録したコンピュータ読み取り可能な記録媒体。
【発明の詳細な説明】
【技術分野】
【０００１】
この発明は、電子写真方式のレーザプリンタ，デジタル複写機，ファクシミリ装置，ＭＦＰ（デジタル複合機）等の画像形成装置、その画像形成装置を制御するコンピュータに必要な機能（この発明に係わる機能）を実現させるためのプログラム、およびそのプログラムを記録したコンピュータ読み取り可能な記録媒体に関する。
【背景技術】
【０００２】
従来、上記のような画像形成装置では、記録用紙等の記録材にトナー画像を形成する画像形成部（画像形成手段）および記録材に形成されたトナー画像を加熱して定着させる定着部（定着手段）を１つずつ備えている場合が多く、記録材の両面に画像形成を行うモードの場合には、記録材を再給紙するために反転させる反転ユニットを使用し、インターリーブを伴う複雑な制御により、記録材の表裏両面へのトナー画像の形成およびその各トナー画像の加熱・定着を行っている。
【０００３】
一方、画像形成部および定着部をそれぞれ複数（少なくとも２つ以上）備え、記録材の両面に画像形成を行うモードの場合には、記録材の表裏両面へのトナー画像の形成およびその各トナー画像の加熱・定着を順次同時に行わせる（これらの処理を行う際に記録材が搬送パスを１回のみ通過する）両面１パス制御を行うようにした画像形成装置も提案されている（例えば特許文献１参照）。
【特許文献１】特開２００６−１４５５８５号公報
【発明の開示】
【発明が解決しようとする課題】
【０００４】
しかしながら、反転ユニットを備えた画像形成装置では、記録材の両面に画像形成を行うモードの場合、反転ユニットを利用するため、搬送パス（搬送経路）が複雑になるがゆえに紙詰まり等の異常障害が起こることが多々ある。
一方、両面１パス制御を行う特許文献１に記載の画像形成装置では、搬送パスは複雑にならないため、上記異常障害の発生頻度は減るが、記録材の片面にのみ画像形成を行うモードの場合、記録材を２枚重ね、その２枚の記録材の外側の面（露出面）にトナー画像を形成するため、排紙される２枚の画像形成面が互いに反対方向に向くため、画像形成枚数が多いほど、画像形成面の向きを揃えるユーザの作業負担が増えてしまう。
【０００５】
そこで、記録材の片面にのみ画像形成を行うモードの場合、複数枚の記録材にトナー画像を形成する場合であっても、その記録材１枚１枚に別々にトナー画像を形成すれば、上述したようなユーザの作業負担が増えることがなくなるが、使用する画像形成部および定着部は常に同一のものとなり、各画像形成部および各定着部の使用比率が偏ってしまう。
【０００６】
そのため、記録材の片面にのみ画像形成を行うモード時に使用される画像形成部および定着部が、他の画像形成部および定着部に比べて故障等の異常の発生率が高くなるため、使用不可となる頻度が増し、画像形成を行えなくなる頻度も増える分だけ、ユーザの作業効率の低下につながるという問題がある。
この発明は、上記の問題点に鑑みてなされたものであり、両面１パス制御を行う画像形成装置において、各画像形成部および各定着部の使用比率の偏りを軽減することを目的とする。
【課題を解決するための手段】
【０００７】
この発明は、上記の目的を達成するため、画像形成装置，その画像形成装置を制御するコンピュータに実行させるプログラム、およびそのプログラムを記録したコンピュータ読み取り可能な記録媒体を提供する。
【０００８】
この発明による画像形成装置は、それぞれ記録材にトナー画像を形成する複数の画像形成手段と、該複数の画像形成手段によって上記記録材の表裏両面に形成された２つのトナー画像をそれぞれ加熱して定着させる複数の定着手段とを有し、上記記録材が搬送パスを１回のみ通過することにより、該記記録材の表裏両面へのトナー画像の形成および該各トナー画像の加熱・定着を完了するようにした構成した画像形成装置において、以下に示すようにしたことを特徴とする。
【０００９】
請求項１の発明による画像形成装置は、上記記録材の片面にのみ画像形成を行うモードの場合に、該記録材の排紙時の画像形成指定面が上か下かによって、上記複数の画像形成手段および上記複数の定着手段の中から使用する画像形成手段および定着手段を選択する選択処理手段を設けたものである。
【００１０】
請求項２の発明による画像形成装置は、上記複数の画像形成手段および上記複数の定着手段の使用比率を算出する算出手段と、該算出手段によって算出された上記複数の画像形成手段および上記複数の定着手段の使用比率を記憶する記憶手段と、上記記録材の片面にのみ画像形成を行うモードの場合に、上記記憶手段の記憶内容に基づいて、上記複数の画像形成手段および上記複数の定着手段の使用比率が偏らないように、該複数の画像形成手段および該複数の定着手段の中から使用する画像形成手段および定着手段を選択する選択処理手段とを設けたものである。
【００１１】
請求項３の発明による画像形成装置は、上記記録材の片面にのみ画像形成を行うモードの場合に、外部からの指示により、上記複数の画像形成手段および上記複数の定着手段の中から使用する画像形成手段および定着手段を選択する選択処理手段を設けたものである。
【００１２】
請求項４の発明による画像形成装置は、上記記録材に形成されるトナー画像の画像色がカラーであるか白黒であるかを判断する画像色判断手段と、上記複数の画像形成手段および上記複数の定着手段の上記画像色判断手段によって判断された画像色での使用比率を算出する算出手段と、該算出手段による算出結果に基づいて上記複数の画像形成手段および上記複数の定着手段の画像色別の使用比率を記憶する記憶手段と、上記記録材の片面にのみ画像形成を行うモードの場合に、上記記憶手段の記憶内容に基づいて、上記複数の画像形成手段および上記複数の定着手段の上記画像色判断手段によって判断された画像色での使用比率が偏らないように、該複数の画像形成手段および該複数の定着手段の中から使用する画像形成手段および定着手段を選択する選択処理手段とを設けたものである。
【００１３】
請求項５の発明による画像形成装置は、請求項４の画像形成装置において、上記画像色判断手段によって判断された画像色に応じて、上記記録材が上記選択処理手段によって選択された定着手段を通る時間を調整する時間調整手段を設けたものである。
請求項６の発明による画像形成装置は、請求項１〜５のいずれかの画像形成装置において、上記選択処理手段に、上記複数の画像形成手段の少なくとも一つ、もしくは上記複数の定着手段の少なくとも一つが使用不可の場合に、他の画像形成手段もしくは定着手段の中から使用する画像形成手段もしくは定着手段を選択する手段を備えたものである。
【００１４】
請求項７の発明による画像形成装置は、請求項１〜６のいずれかの画像形成装置において、上記記録材の片面にのみ画像形成を行うモードの場合に、上記選択処理手段によって選択された定着手段以外の定着手段の加熱温度を下げる温度制御手段を加えたものである。
請求項８の発明による画像形成装置は、請求項１〜７のいずれかの画像形成装置において、上記複数の定着手段のうち、少なくとも２つの定着手段を、上記記録材の片面のトナー画像を加熱して定着させた直後に他方の面のトナー画像を加熱して定着させることができるように配置したものである。
【００１５】
請求項９の発明による画像形成装置は、請求項１〜８のいずれかの画像形成装置において、上記複数の定着手段がそれぞれ、上記記録材のトナー画像の加熱・定着を、ヒータによって定着温度に加熱されたローラを用いて行うものである。
請求項１０の発明による画像形成装置は、請求項１〜８のいずれかの画像形成装置において、上記複数の定着手段がそれぞれ、上記記録材のトナー画像の加熱・定着を、ヒータによって定着温度に加熱されたベルトを用いて行うものである。
【００１６】
この発明によるプログラムは、それぞれ記録材にトナー画像を形成する複数の画像形成手段と、該複数の画像形成手段によって上記記録材の表裏両面に形成された２つのトナー画像をそれぞれ加熱して定着させる複数の定着手段とを有し、上記記録材が搬送パスを１回のみ通過することにより、該記記録材の表裏両面へのトナー画像の形成および該各トナー画像の加熱・定着を完了するようにした構成した画像形成装置を制御するコンピュータに、以下に示す機能を実現させることを特徴とする。
【００１７】
請求項１１の発明によるプログラムは、上記コンピュータに、上記記録材の片面にのみ画像形成を行うモードの場合に、該記録材の排紙時の画像形成指定面が上か下かによって、上記複数の画像形成手段および上記複数の定着手段の中から使用する画像形成手段および定着手段を選択する選択処理手段としての機能を実現させるものである。
【００１８】
請求項１２の発明によるプログラムは、上記コンピュータに、上記複数の画像形成手段および上記複数の定着手段の使用比率を算出する算出手段と、該算出手段によって算出された上記複数の画像形成手段および上記複数の定着手段の使用比率を記憶する記憶手段と、上記記録材の片面にのみ画像形成を行うモードの場合に、上記記憶手段の記憶内容に基づいて、上記複数の画像形成手段および上記複数の定着手段の使用比率が偏らないように、該複数の画像形成手段および該複数の定着手段の中から使用する画像形成手段および定着手段を選択する選択処理手段としての機能を実現させるものである。
【００１９】
請求項１３の発明によるプログラムは、上記コンピュータに、上記記録材の片面にのみ画像形成を行うモードの場合に、外部からの指示により、上記複数の画像形成手段および上記複数の定着手段の中から使用する画像形成手段および定着手段を選択する選択処理手段としての機能を実現させるものである。
【００２０】
請求項１４の発明によるプログラムは、上記コンピュータに、上記記録材に形成されるトナー画像の画像色がカラーであるか白黒であるかを判断する画像色判断手段と、上記複数の画像形成手段および上記複数の定着手段の上記画像色判断手段によって判断された画像色での使用比率を算出する算出手段と、該算出手段による算出結果に基づいて上記複数の画像形成手段および上記複数の定着手段の画像色別の使用比率を記憶する記憶手段と、上記記録材の片面にのみ画像形成を行うモードの場合に、上記記憶手段の記憶内容に基づいて、上記複数の画像形成手段および上記複数の定着手段の上記画像色判断手段によって判断された画像色での使用比率が偏らないように、該複数の画像形成手段および該複数の定着手段の中から使用する画像形成手段および定着手段を選択する選択処理手段としての機能を実現させるものである。
【００２１】
請求項１５の発明によるプログラムは、請求項１４のプログラムにおいて、上記コンピュータに、記画像色判断手段によって判断された画像色に応じて、上記記録材が上記選択処理手段によって選択された定着手段を通る時間を調整する時間調整手段としての機能をも実現させるものである。
【００２２】
請求項１６の発明によるプログラムは、請求項１１〜１５のいずれかのプログラムにおいて、上記選択処理手段に、上記複数の画像形成手段の少なくとも一つ、もしくは上記複数の定着手段の少なくとも一つが使用不可の場合に、他の画像形成手段もしくは定着手段の中から使用する画像形成手段もしくは定着手段を選択する手段を備えたものである。
【００２３】
請求項１７の発明によるプログラムは、請求項１１〜１６のいずれかのプログラムにおいて、上記コンピュータに、上記記録材の片面にのみ画像形成を行うモードの場合に、上記選択処理手段によって選択された定着手段以外の定着手段の加熱温度を下げる温度制御手段としての機能をも実現させるものである。
請求項１８の発明による記録媒体は、請求項１１〜１７のいずれかのプログラムを記録したコンピュータ読み取り可能な記録媒体である。
【発明の効果】
【００２４】
この発明によれば、画像形成装置が、記録材の片面にのみ画像形成を行うモードの場合に、その記録材の排紙時の画像形成指定面が上か下かによって、複数の画像形成手段および複数の定着手段の中から使用する画像形成手段および定着手段を選択することにより、使用する画像形成部および定着部が常に同じものになるとは限らないため、各画像形成部および各定着部の使用比率の偏りを軽減することができ、各画像形成部および各定着部が他の画像形成部および定着部に比べて異常発生率が高くなることを防ぐことができる。
【００２５】
あるいは、複数の画像形成手段および複数の定着手段の使用比率を算出して記憶すると共に、記録材の片面にのみ画像形成を行うモードの場合に、上記記憶内容に基づいて、複数の画像形成手段および複数の定着手段の使用比率が偏らないように、その複数の画像形成手段およびその複数の定着手段の中から使用する画像形成手段および定着手段を選択することにより、各画像形成部および各定着部の使用が平均化されるため、各画像形成部および各定着部の使用比率の偏りを軽減することができ、やはり各画像形成部および各定着部が他の画像形成部および定着部に比べて異常発生率が高くなることを防ぐことができる。
【００２６】
あるいはまた、記録材の片面にのみ画像形成を行うモードの場合に、外部からの指示により、複数の画像形成手段および上記複数の定着手段の中から使用する画像形成手段および定着手段を選択することによっても、使用する画像形成部および定着部が常に同じものになるとは限らないため、各画像形成部および各定着部の使用比率の偏りを軽減することができる。
【００２７】
あるいは更に、記録材に形成されるトナー画像の画像色がカラーであるか白黒であるかを判断し、複数の画像形成手段および複数の定着手段の判断された画像色での使用比率を算出して記憶すると共に、記録材の片面にのみ画像形成を行うモードの場合に、上記記憶内容に基づいて、複数の画像形成手段および複数の定着手段の判断された画像色での使用比率が偏らないように、その複数の画像形成手段およびその複数の定着手段の中から使用する画像形成手段および定着手段を選択することによっても、各画像形成部および各定着部の使用が平均化されるため、各画像形成部および各定着部の使用比率の偏りを軽減することができる。
【発明を実施するための最良の形態】
【００２８】
以下、この発明を実施するための最良の形態を図面に基づいて具体的に説明する。
〔画像形成装置の制御系の構成例〕
まず、この発明の一実施形態である画像形成装置の制御系の構成例について、図１を参照して説明する。
【００２９】
図１は、その画像形成装置の制御系の構成例を示すブロック図である。
この画像形成装置では、ＭＦＰであり、エンジン部２０１とコントローラ部２０２（画像処理装置）とを備えている。なお、ＭＦＰの代わりに、レーザプリンタ，デジタル複写機，又はファクシミリ装置等の他の画像形成装置を用いてもよい。
エンジン部２０１は、スキャナ１０１，プロッタ１０２，読み取り制御部１０３，書き込み制御部１０４，およびエンジン制御ＣＰＵ１０５等によって構成されている。
スキャナ１０１は、原稿の画像を読み取る画像読取手段である。
【００３０】
プロッタ１０２は、それぞれコントローラ部２０２のメモリ１１５に展開された画像データをＡＳＩＣ１１２および書き込み制御部１０４を介して受け取り、可視画像としてのトナー画像を記録用紙（他の記録材でもよい）の片面又は両面に印刷（形成）する２つの画像形成部（画像形成手段）と、その各画像形成部によって記録用紙の表裏両面に形成された２つのトナー画像をそれぞれ加熱して定着させる２つの定着部（定着手段）とを備え、記録用紙が搬送パスを１回のみ通過することにより、その記録用紙の表裏両面へのトナー画像の印刷およびその各トナー画像の加熱・定着を完了するようにした構成したものである。
【００３１】
各画像形成部はそれぞれ、Ｙ（イエロー），Ｍ（マゼンタ），Ｃ（シアン），Ｂ（ブラック）の４色版のレーザビームを出力できる光書込装置を搭載している。
なお、各画像形成部内の光書込装置からのレーザビームによる画像の書き込みは、周知であるため、詳細は省略する。また、画像形成部および定着部はそれぞれ３つ以上備えていてもよい。
【００３２】
読み取り制御部１０３は、スキャナ１０１による原稿画像の読み取りを制御するものである。
書き込み制御部１０４は、プロッタ１０２に備えている各画像形成部内の光書込装置を制御する書き込み制御手段（書込制御装置）である。
エンジン制御ＣＰＵ１０５は、図示しないＲＯＭ内のプログラムに従って動作することにより、エンジン部２０１の各部を統括的に制御するものである。
【００３３】
コントローラ部２０２は、コントローラ制御ＣＰＵ１１１，ＡＳＩＣ１１２，操作部１１３，ＨＤＤ１１４，メモリ１１５，およびネットワークインタフェース（以下「インタフェース」を「Ｉ／Ｆ」ともいう）１１６等によって構成されている。なお、操作部１１３は実際にはコントローラ部２０２の外側に配置されている。
コントローラ制御ＣＰＵ１１１は、図示しないＲＯＭ内の固定プログラムおよびメモリ１１５上に展開したプログラムに従って動作することにより、コントローラ部２０２の各部を統括的に制御するものである。
【００３４】
ＡＳＩＣ１１２は、多機能デバイスボードであり、コントローラ制御ＣＰＵ１１１の制御対象となるデバイスの共有化を図り、アーキテクチャの面からアプリケーションプログラム等の開発の高効率化を支援するものである。
操作部１１３は、画像形成装置により提供される画像処理機能の選択に基づくエンジン部２０１に対する動作指示等のデータを入力するための各種の操作キー（操作スイッチ又は操作ボタンともいう）およびＬＣＤ又はＣＲＴ等の表示器を有するものである。
【００３５】
ＨＤＤ１１４は、大量のデータを記憶保持する不揮発性の記憶手段（記憶装置）であり、ＯＳ（オペレーティングシステム）を含むプログラムや、各種設定データ（後述する各画像形成部および各定着部の使用比率等）、画像データ（デジタル画像信号）等の各種データを蓄積することができる。なお、このＨＤＤ１１４に、メモリ１１５内のデータを蓄積しておくこともできる。また、不揮発性メモリを備え、それに各種設定データを記憶するようにしてもよい。
【００３６】
メモリ１１５は、各種プログラムを記憶するプログラムメモリ、コントローラ制御ＣＰＵ１１１がデータ処理を行う際に使用するワークメモリ、および画像データを展開する画像メモリ等として使用するＲＡＭ等の記憶手段である。
ネットワークＩ／Ｆ１１６は、図示しないネットワークを介してパーソナルコンピュータ等の外部装置と通信を行うためのものである。
【００３７】
ここで、印刷対象となる画像データは、スキャナ１０１からの読み取りデータ（ＲＧＢの画像データ）、ネットワークＩ／Ｆ１１６からの入力データ、ＨＤＤ１１４の蓄積データと様々であるが、印刷動作を行う場合、カラー（フルカラー）の場合にはＹＭＣＢの各色版の画像データに、モノクロの場合はモノクロ（グレイスケール）の画像データにそれぞれ予め変換し、メモリ１１５に展開する。
【００３８】
このように構成された画像形成装置において、コントローラ部２０２のコントローラ制御ＣＰＵ１１１は、電源投入時に、ＲＯＭ内のブートプログラムに従い、ＨＤＤ１１４内のＯＳ（オペレーションシステム）およびアプリケーションソフトウェアを含む各種プログラムを読み出してメモリ１１５上に展開した後、その各種プログラムに従って動作し（各種プログラムを必要に応じて選択的に実行し）、装置を制御することにより、この発明に関わる選択処理手段，算出手段，記憶手段，画像色判断手段，時間調整手段，温度制御手段としての機能を実現することができる。
【００３９】
〔プロッタの基本構成例〕
次に、図１のプロッタ１０２の基本構成例について、図２を参照して説明する。
図２は、そのプロッタ１０２の基本構成例を示す概念図である。
このプロッタ１０２では、２つの画像形成部３１，３２および２つの定着ローラ（定着部）２１，２２を、それぞれ記録用紙Ｐ（他の記録材でもよい）が搬送される搬送パス５の上下に配設している。
【００４０】
そして、記録用紙Ｐの片面にのみ画像形成を行うモード（以下「片面モード」という）の場合には、図示しない給紙ユニットから給紙され、搬送パス５上を搬送する記録用紙Ｐの片面に対して各画像形成部３１，３２のいずれかによってトナー画像を形成し、その記録用紙Ｐの片面に形成されたトナー画像を各定着ローラ２１，２２のいずれかによって加熱して定着させる。記録用紙Ｐの両面に画像形成を行うモード（以下「両面モード」という）の場合には、給紙ユニットから給紙され、搬送パス５上を搬送する記録用紙Ｐの表裏両面に対してそれぞれ各画像形成部３１，３２によってトナー画像を同時に形成し、その記録用紙Ｐの両面に形成されたトナー画像をそれぞれ各定着ローラ２１，２２によって同時に加熱して定着させる。
【００４１】
〔プロッタの具体的構成例〕
次に、図１のプロッタ１０２の具体的構成例について、図３を参照して説明する。
図３はこのプロッタ１０２の具体的構成例を示す図であり、図２と同じ部分には同一符号を付している。
【００４２】
定着装置２０は、対向した状態で互いに接触する対の定着ローラ２１，２２間に、表裏両面に未定着のトナー画像を形成した記録用紙Ｐを通すことにより、その各トナー画像をそれぞれ定着させる装置である。そして、対の定着ローラ２１，２２は、同様な構成のローラであり、それらはそれぞれ外周面を定着温度に加熱させるヒータを内蔵している。
この定着装置２０を備えたプロッタ１０２は、カラー印刷を行う場合には、４色版に対応する各画像データ（書き込み信号）により画像形成部（表面作像部）３１と画像形成部（裏面作像部）３２で、それぞれ感光体１１Ｙ，１１Ｍ，１１Ｃ，１１Ｂ，１２Ｙ，１２Ｍ，１２Ｃ，１２Ｂ上に、対応する色の画像（潜像）の光書き込みが、光書込装置３３，３４により行われる。
【００４３】
画像形成部３１は、Ｙ、Ｍ、Ｃ、Ｂの各色版に対応するそれぞれドラム状の感光体１１Ｙ、１１Ｍ、１１Ｃ、１１Ｂ（以下、特定しない場合には単に感光体１１という）を備えており、その各感光体１１の回りには帯電ローラ３と、現像装置４と、クリーニング装置１４等をそれぞれ備えている。そして、その各感光体１１上に形成した４色のトナー画像は、図３の矢示Ａ方向に回動する表面用中間転写ベルト６上に、重ね合わせ状態に順次転写されていき、そこにフルカラーの合成カラー画像が形成される。
【００４４】
同様に、画像形成部３２は、Ｙ、Ｍ、Ｃ、Ｂの各色版に対応するそれぞれドラム状の感光体１２Ｙ、１２Ｍ、１２Ｃ、１２Ｂ（以下、特定しない場合には単に感光体１２という）を備えており、その各感光体１２の回りには帯電ローラ３と、現像装置４と、クリーニング装置１４等をそれぞれ備えている。そして、その各感光体１２上に形成した４色のトナー画像は、図３の矢示Ｂ方向に回動する裏面用中間転写ベルト７上に、重ね合わせ状態に順次転写されていき、そこにフルカラーの合成カラー画像が形成される。
【００４５】
このプロッタ１０２は、下部に給紙ユニット２を設けていて、その給紙ユニット２内に収納された記録用紙Ｐは、給紙ローラ１３により搬送パス５に繰り出され、それがレジストローラ対１５により表面用中間転写ベルト６上の合成カラー画像（モノクロ画像の場合には単色画像）、および裏面用中間転写ベルト７上の合成カラー画像（モノクロ画像の場合には単色画像）に合わせた正確なタイミングで、２次転写ローラ８，９のある転写位置に搬送される。
【００４６】
そして、その表面用中間転写ベルト６上の画像が、２次転写ローラ８により記録用紙Ｐの表面に一括転写され、裏面用中間転写ベルト７上の画像が２次転写ローラ９により記録用紙Ｐの裏面に一括転写される。
その表裏両面に未定着のトナー画像がそれぞれ転写された記録用紙Ｐは、搬送装置１０により定着装置２０に搬送され、そこで上下の定着ローラ２１，２２によって両面の未定着のトナー画像が同時に加熱されながら加圧されることにより定着されて、それが排紙部１９上に排出される。
【００４７】
次に、この画像形成装置の制御部によるこの発明に関わる制御の各実施例について、図４〜図７を参照して説明する。
〔第１実施例〕
図４は、この画像形成装置の制御部による正常時の画像形成部および定着部（定着ローラ）の選択処理の第１例を示すフローチャートである。
【００４８】
この画像形成装置の制御部（図１のコントローラ制御ＣＰＵ１１１を含む）は、外部（操作部１１３あるいはネットワークＩ／Ｆ１１６）から片面モード又は両面モードでの画像形成の指示があったときに図４の処理ルーチンをスタートし、まずステップＳ１で片面モードであるか両面モードであるか判断して、両面モードであれば直ちにステップＳ３へ進み、両面モードに対応する画像形成処理を行う。
【００４９】
すなわち、給紙ユニット２から給紙し、搬送パス５上を搬送する記録用紙Ｐの表裏両面に対してそれぞれ各画像形成部３１，３２によってトナー画像を同時に形成し、その記録用紙Ｐの両面に形成された各トナー画像をそれぞれ各定着ローラ２１，２２によって加熱して定着させる。
一方、片面モードの場合には、ステップＳ２へ進み、記録用紙Ｐの排紙時の印刷指定面（外部からの指示によって指定できる）が上か下かによって、図３の各画像形成部３１，３２および各定着ローラ２１，２２の中から使用する画像形成部および定着ローラを選択する。
【００５０】
例えば、記録用紙Ｐの排紙時の印刷指定面が上の場合には画像形成部３１および定着ローラ２１を、下の場合には画像形成部３２および定着ローラ２２をそれぞれ使用する画像形成部および定着ローラとして選択する。なお、外部からの選択指示によって使用する画像形成部および定着ローラを選択することも可能である。
次に、ステップＳ３へ進み、片面モードに対応する画像形成処理を行う。つまり、給紙ユニット２から給紙し、搬送パス５上を搬送する記録用紙Ｐの片面に対して選択した画像形成部によってトナー画像を形成し、その記録用紙Ｐの片面に形成されたトナー画像を選択した定着ローラによって加熱して定着させる。
【００５１】
このように、片面モード（記録材の片面にのみ画像形成を行うモード）の場合に、その記録用紙の排紙時の印刷指定面が上か下かによって、各画像形成部および各定着部の中から使用する画像形成部および定着部を選択することにより、使用する画像形成部および定着部が常に同じものになるとは限らないため、各画像形成部および各定着部の使用比率の偏りを軽減することができ、一方の画像形成部および定着部が他方の画像形成部および定着部に比べて異常発生率が高くなることを防ぐことができる。また、記録用紙を印刷面がユーザ希望の向きで排紙できるため、排紙部（排紙トレイ）の位置に関係なく、常にフェースダウン排紙が可能になり、ユーザが記録用紙の印刷面の向きを揃える作業を行わずに済む。
【００５２】
あるいは、片面モードの場合に、外部からの選択指示により、各画像形成部および各定着部の中から使用する画像形成部および定着部を選択することによっても、使用する画像形成部および定着部が常に同じものになるとは限らないため、各画像形成部および各定着部の使用比率の偏りを軽減することができる。また、使用する画像形成部および定着部の選択は、ユーザによる操作部１１３又は外部装置上の操作によって発生する外部からの選択指示によって行えるので、ユーザの自由度を上げることができる。
【００５３】
〔第２実施例〕
図５は、この画像形成装置の制御部による正常時の画像形成部および定着部の選択処理の第２例を示すフローチャートである。
この画像形成装置の制御部は、外部から片面モード又は両面モードでの画像形成の指示があったときに図５の処理ルーチンをスタートし、まずステップＳ１１で片面モードであるか両面モードであるか判断する。
【００５４】
そして、両面モードである場合には、直ちにステップＳ１３へ進み、第１実施例と同様に両面モードに対応する画像形成処理を行う。
片面モードの場合には、ステップＳ１２へ進み、ＨＤＤ１１４の記憶内容（特に各画像形成部３１，３２および各定着ローラ２１，２２の使用比率）に基づいて、各画像形成部３１，３２および各定着ローラ２１，２２の使用比率が偏らないように、各画像形成部３１，３２および各定着ローラ２１，２２の中から使用する画像形成部および定着ローラを選択する。
【００５５】
例えば、画像形成部３１および定着ローラ２１より画像形成部３２および定着ローラ２２の方が使用率が低い場合には、その使用率が低い方の画像形成部３１および定着ローラ２１を使用する画像形成部および定着ローラとして選択する。
次に、ステップＳ１３へ進み、第１実施例と同様に片面モードに対応する画像形成処理を行った後、ステップＳ１４へ進み、使用した画像形成部および定着ローラの画像面積率に基づいて、その画像形成部および定着ローラの使用率を算出し直し、その使用率をステップＳ１５で各画像形成部３１，３２および定着ローラ２１，２２の使用比率としてＨＤＤ１１４に記憶する。
【００５６】
このように、画像形成処理を行う毎に各画像形成部および各定着部の使用比率を算出して記憶すると共に、片面モードの場合に、上記記憶内容に基づいて、各画像形成部および各定着部の使用比率が偏らないように、各画像形成部および各定着部の中から使用する画像形成部および定着部を選択することにより、各画像形成部および各定着部の使用が平均化されるため、各画像形成部および各定着部の使用比率の偏りを軽減することができ、一方の画像形成部および定着部が他方の画像形成部および定着部に比べて異常発生率が高くなることを防ぐことができる。
【００５７】
〔第３実施例〕
図６は、この画像形成装置の制御部による正常時の画像形成部および定着部の選択処理の第３例を示すフローチャートである。
この画像形成装置の制御部は、外部から片面モード又は両面モードでの画像形成の指示があったときに図６の処理ルーチンをスタートし、まずステップＳ２１で記録用紙に印刷されるトナー画像の画像色がカラーであるかモノクロ（白黒）であるかを判断する。
【００５８】
次に、ステップＳ２２へ進み、これから使用する画像形成部および定着ローラの先に判断した画像色での使用率を算出し、その算出値をメモリ１１５に一時的に記憶しておく。
その後、ステップＳ２３で片面モードであるか両面モードであるか判断して、両面モードであれば直ちにステップＳ２５へ進み、第１実施例と同様に両面モードに対応する画像形成処理を行う。
【００５９】
片面モードの場合には、ステップＳ２４へ進み、メモリ１１５に一時的に記憶したこれから使用する画像形成部および定着ローラの先に判断した画像色での使用率と、ＨＤＤ１１４に記憶されている各画像形成部３１，３２および各定着ローラ２１，２２の画像色別の使用比率とに基づいて、各画像形成部３１，３２および各定着ローラ２１，２２の先に判断した画像色での使用比率が偏らないように、各画像形成部３１，３２および各定着ローラ２１，２２の中から使用する画像形成部および定着ローラを選択する。
【００６０】
例えば、画像形成部３１および定着ローラ２１より画像形成部３２および定着ローラ２２の方が先に判断した画像色での使用率が低い場合には、その使用率が低い方の画像形成部３１および定着ローラ２１を使用する画像形成部および定着ローラとして選択する。
次に、ステップＳ２５へ進み、第１実施例と同様に片面モードに対応する画像形成処理を行った後、ステップＳ２６へ進み、使用した画像形成部および定着ローラの先に判断した画像色での使用率に基づいて、各画像形成部３１，３２および定着ローラ２１，２２の画像色別の使用比率を算出し直し、ＨＤＤ１１４に記憶する。
【００６１】
なお、判断した画像色（記録用紙に印刷されるトナー画像の画像色）に応じて、記録用紙が選択した定着ローラを通る時間（以下「通紙時間」ともいう）を、図示しないモータの回転速度を変更することによって調整することも可能である。
ここで、記録用紙に印刷されるトナー画像の画像色がカラーとモノクロとでは、使用するトナー量が異なる。よって、カラー画像定着時に必要な熱量をＣａ、モノクロ画像定着時に必要な熱量をＣｂとした場合、その各熱量の関係はＣａ＞Ｃｂとなる。そのため、使用する定着ローラの定着温度の目標値を常に一定にする場合には、カラー画像形成時の通紙時間をＴａ、モノクロ画像形成時の通紙時間をＴｂとした場合、その各通紙時間の関係はＴａ＞Ｔｂとなる。
【００６２】
このように、記録材に印刷されるトナー画像の画像色がカラーであるか白黒であるかを判断し、各画像形成部および各定着部の判断した画像色での使用比率を算出して記憶すると共に、片面モードの場合に、上記記憶内容に基づいて、各画像形成部および各定着部の判断した画像色での使用比率が偏らないように、各画像形成部および各定着部の中から使用する画像形成部および定着部を選択することによっても、各画像形成部および各定着部の使用が平均化されるため、各画像形成部および各定着部の使用比率の偏りを軽減することができ、一方の画像形成部および定着部が他方の画像形成部および定着部に比べて異常発生率が高くなることを防ぐことができる。また、各画像形成部が一方の画像色（カラーか白黒）を多用することにより、他方の画像色を使用する場合に比べて異常発生率が高くなることも防ぐことができる。
【００６３】
さらに、判断した画像色に応じて、記録用紙が選択した定着部を通る時間を調整することにより、定着温度の目標値を変更する必要がないため、画像色の違いによる時間のロスやエネルギーの無駄を防ぐこともできる。
【００６４】
〔第４実施例〕
図７は、この画像形成装置の制御部による異常時の画像形成部および定着部の選択処理の一例を示すフローチャートである。
この画像形成装置の制御部は、外部から片面モード又は両面モードでの画像形成の指示があったときに図７の処理ルーチンをスタートし、まずステップＳ３１で各画像形成部３１，３２および各定着ローラ２１，２２に故障等の異常があるかないかをチェックし、そのいずれにも異常がなかった場合には、図４〜図６のいずれかの処理ルーチンをスタートする。なお、それらの処理ルーチンを外部からの指示によって選択的にスタートすることもできる。
【００６５】
また、各画像形成部３１，３２のいずれか、もしくは各定着ローラ２１，２２のいずれかに故障等の異常があった場合（いずれかが使用不可の場合）には、ステップＳ３２で片面モードであるか両面モードであるか判断して、両面モードであれば図７の処理を終了し、片面モードであればステップＳ３３で各画像形成部３１，３２および各定着ローラ２１，２２に使用可能な画像形成部および定着ローラがあるかないかをチェックし、使用可能な画像形成部又は定着ローラがなければ図７の処理を終了する。
【００６６】
使用可能な画像形成部および定着ローラがある場合（但し搬送パス５の上側にある画像形成部３１および定着ローラ２１の組み合わせか下側にある画像形成部３２および定着ローラ２２の組み合わせである必要がある）には、ステップＳ３４でそれらを使用する画像形成部および定着ローラとして選択し、ステップＳ３５で第１実施例と同様に片面モードに対応する画像形成処理を行う。
【００６７】
このように、各画像形成部のいずれか、もしくは各定着部のいずれかが異常による使用不可の場合に、他の画像形成部もしくは定着部を使用する画像形成部もしくは定着部として選択することにより、異常によって印刷ができないような不便が減る。
なお、上述した各実施例１〜４において、片面モードに対応する画像形成の際に、選択しなかった定着部内のヒータへの通電をオフにしてその定着温度（加熱温度）を下げることも可能である。そうすれば、定着部の無駄な加熱を防ぎ、エネルギーの無駄を防止することもできる。
【００６８】
また、上述した実施形態では、各定着部（定着ローラ２１，２２）を、記録用紙の表裏両面のトナー画像を同時に加熱して定着させることができるように配置したが、例えば図８に示すように、記録用紙Ｐの上面（片面）のトナー画像を加熱して定着させた直後に下面（他方の面）のトナー画像を加熱して定着させることができるように配置してもよい。そうすれば、上下の定着部の同じ部位に位置することで、互いの定着部の定着温度が作用し、相互の定着温度の目標値から離れることを防ぐことができる。
さらに、上述した実施形態では、各定着部はそれぞれ、記録用紙のトナー画像の加熱・定着を、ヒータによって定着温度に加熱されたローラを用いて行うようにしたが、ヒータによって定着温度に加熱されたベルトを用いて行うようにしてもよい。
【００６９】
〔この発明に関わるプログラム〕
このプログラムは、画像形成装置を制御するコンピュータ（ＣＰＵ）に、この発明に関わる機能である選択処理手段，算出手段，記憶手段，画像色判断手段，時間調整手段，温度制御手段としての機能を実現させるためのプログラムであり、このようなプログラムをＣＰＵに実行させることにより、上述したような効果を得ることができる。
【００７０】
このようなプログラムは、はじめからＲＯＭあるいはＨＤＤ（ハードディスク装置）等の記憶手段に格納しておいてもよいが、記録媒体であるＣＤ−ＲＯＭあるいはフレキシブルディスク，ＭＯ，ＣＤ−Ｒ，ＣＤ−ＲＷ，ＤＶＤ＋Ｒ，ＤＶＤ＋ＲＷ，ＤＶＤ−Ｒ，ＤＶＤ−ＲＷ，又はＤＶＤ−ＲＡＭや、ＥＥＰＲＯＭ、メモリカード等の不揮発性記録媒体（メモリ）に記録して提供することもできる。その不揮発性記録媒体に記録されたプログラムを画像形成装置にインストールしてＣＰＵに実行させるか、ＣＰＵにその不揮発性記録媒体からこのプログラムを読み出して実行させることにより、上述した各手順を実行させることができる。
さらに、ネットワークに接続され、プログラムを記録した記録媒体を備える外部機器あるいはプログラムを記憶手段に記憶した外部機器からダウンロードして実行させることも可能である。
【産業上の利用可能性】
【００７１】
以上の説明から明らかなように、この発明によれば、各画像形成部および各定着部の使用比率の偏りを軽減することができる。したがって、異常発生による使用不可が少ない画像形成装置を提供することができる。
【図面の簡単な説明】
【００７２】
【図１】この発明の一実施形態である画像形成装置の制御系の構成例を示す図である。
【図２】図１のプロッタ１０２の基本構成例を示す概念図である。
【図３】図１のプロッタ１０２の具体的構成例を示す図である。
【図４】図１に示した画像形成装置の制御部による正常時の画像形成部および定着部の選択処理の第１例を示すフロー図である。
【図５】同じく正常時の画像形成部および定着部の選択処理の第２例を示すフロー図である。
【図６】同じく正常時の画像形成部および定着部の選択処理の第３例を示すフロー図である。
【図７】同じく異常時の画像形成部および定着部の選択処理の一例を示すフロー図である。
【図８】図１のプロッタ１０２の他の基本構成例を示す概念図である。
【符号の説明】
【００７３】
５：搬送パス    ２０：定着装置    ２１，２２：定着ローラ
３１，３２：画像形成部    １０１：スキャナ    １０２：プロッタ
１０３：読み取り制御部    １０４：書き込み制御部    １０５：エンジン制御ＣＰＵ
１１１：コントローラ制御ＣＰＵ    １１２：ＡＳＩＣ    １１３：操作部
１１４：ＨＤＤ    １１５：メモリ    １１６：ネットワークＩ／Ｆ
２０１：エンジン部    ２０２：コントローラ部
【図１】
2009115975.tif 000003
【図２】
2009115975.tif 000004
【図３】
2009115975.tif 000005
【図４】
2009115975.tif 000006
【図５】
2009115975.tif 000007
【図６】
2009115975.tif 000008
【図７】
2009115975.tif 000009
【図８】
2009115975.tif 000010